(57)【要約】【課題】本発明は、抜けた髪の毛等だけでなく抜けた眉毛や睫毛等が防塵フードの外部に落下したり飛散したりするのを防止できると共にマスク体のみを簡単に交換することができるシールド防塵フードを提供する。【解決手段】シールド防塵フード１０はフード体１２と、マスク体１４と、シールド体１６と、から構成されている。フード体１２のフード本体部１８には切欠開口部２０が形成されている。フード本体部１８の両側部にはフードシールド連結手段２２，２２が取り付けられている。前記マスク体１４のマスク本体部４０の上部にはマスクシールド連結手段４４，４４が取り付けられている。前記シールド体１６の上部にはシールドフード連結手段４６，４６が取り付けられている。シールド体１６の下部にはシールドマスク連結手段４８，４８が取り付けられている。【選択図】図１
2011001659.tif 000002
【特許請求の範囲】
【請求項１】
フード体とマスク体と透明なシールド体とを備えてなるシールド防塵フードであって、前記フード体を構成すると共に着用者の頭部を覆うよう形成されたフード本体部と、このフード本体部の正面に形成された切欠開口部と、前記フード本体部に設けられたフードシールド連結手段と、前記マスク体のマスク本体部に設けられたマスクシールド連結手段と、前記シールド体に設けられたシールドフード連結手段と、前記シールド体に設けられたシールドマスク連結手段と、を有してなることを特徴とするシールド防塵フード。
【請求項２】
フード体とマスク体と透明なシールド体とを備えてなるシールド防塵フードであって、前記フード体を構成すると共に着用者の頭部を覆うよう形成されたフード本体部と、このフード本体部の正面に形成された切欠開口部と、前記フード本体部に設けられたフードシールド連結手段と、前記フード本体部と共に前記フード体を構成すると共にフード本体部の下部に連続形成されたフードスカート部と、前記マスク体のマスク本体部に設けられたマスクシールド連結手段と、前記シールド体に設けられたシールドフード連結手段と、前記シールド体に設けられたシールドマスク連結手段と、を有してなることを特徴とするシールド防塵フード。
【請求項３】
フード体とマスク体と透明なシールド体とを備えてなるシールド防塵フードであって、前記フード体を構成すると共に着用者の頭部を覆うよう形成されたフード本体部と、このフード本体部の正面に形成された切欠開口部と、前記フード本体部に設けられたフードシールド連結手段と、前記フード本体部と共に前記フード体を構成すると共にフード本体部の下部に連続形成されたフードスカート部と、前記マスク体のマスク本体部の両側に設けられた耳掛け紐と、前記マスク本体部に設けられたマスクシールド連結手段と、前記シールド体に設けられたシールドフード連結手段と、前記シールド体に設けられたシールドマスク連結手段と、を有してなることを特徴とするシールド防塵フード。
【発明の詳細な説明】
【技術分野】
【０００１】
本発明は、主に医薬、医療機器、半導体、食品等の製造工場等で作業する場合に作業者が着用する防塵フードに関し、詳しくは髪の毛だけでなく眉毛や睫毛等が防塵フードの外部に落下したり飛散したりすることを防止できるシールド防塵フードに関する。
【背景技術】
【０００２】
一般に医薬、医療機器、電子部品、半導体、食品等の製造工場等では製造工場内のクリーンさを保つために作業を行う作業者は防塵フードを着用している。
作業者が防塵フードを着用することにより作業者の頭部はフード部に覆われるので髪の毛等が抜けても抜けた髪の毛等が防塵フードの外部に落下したり飛散したりすることを防止できるようになっている。
しかし、防塵フードの正面には着用者の顔の目周辺部や口周辺部が露出できるように開口部が形成されている。
このため、従来の防塵フードにおいては抜けた髪の毛等が防塵フードの外部に落下したり飛散したりすることを防止することは可能であるが、作業中に前記開口部を通して作業者の抜けた眉毛、睫毛、鼻毛等が防塵フードの外部に落下したり飛散したりしてしまうおそれがあるという不具合がある。
そこで、クリーンさが厳しく要求される製造工場等で使用する防塵フードとしてマスク部が設けられた防塵フードが提案されている（特許文献１）。
このマスク部を設けた防塵フードはフード部とマスク部で抜けた髪の毛や鼻毛等が防塵フードの外部に落下したり飛散したりすることを防止することは可能であるが、抜けた眉毛や睫毛等が防塵フードの外部に落下したり飛散したりすることを防止することは困難である。
また、前記防塵フードのマスク部はフード部に縫い付けられているので、マスク部だけを簡単に交換することはできず衛生面に欠けるという問題がある。
【先行技術文献】
【特許文献】
【０００３】
【特許文献１】特開平１０−１５５９２４号公報
【発明の概要】
【発明が解決しようとする課題】
【０００４】
本発明は、上記事実に鑑みなされたものであり、抜けた髪の毛等は勿論のこと抜けた眉毛や睫毛等が防塵フードの外部に落下したり飛散したりするのを防止することができると共にマスク体のみを簡単に交換することができるシールド防塵フードを提供するものである。
【課題を解決するための手段】
【０００５】
請求項１の発明は、フード体とマスク体と透明なシールド体とを備えてなるシールド防塵フードであって、前記フード体を構成すると共に着用者の頭部を覆うよう形成されたフード本体部と、このフード本体部の正面に形成された切欠開口部と、前記フード本体部に設けられたフードシールド連結手段と、前記マスク体のマスク本体部に設けられたマスクシールド連結手段と、前記シールド体に設けられたシールドフード連結手段と、前記シールド体に設けられたシールドマスク連結手段と、を有してなることを特徴としている。
請求項２の発明は、フード体とマスク体と透明なシールド体とを備えてなるシールド防塵フードであって、前記フード体を構成すると共に着用者の頭部を覆うよう形成されたフード本体部と、このフード本体部の正面に形成された切欠開口部と、前記フード本体部に設けられたフードシールド連結手段と、前記フード本体部と共に前記フード体を構成すると共にフード本体部の下部に連続形成されたフードスカート部と、前記マスク体のマスク本体部に設けられたマスクシールド連結手段と、前記シールド体に設けられたシールドフード連結手段と、前記シールド体に設けられたシールドマスク連結手段と、を有してなることを特徴としている。
請求項３の発明は、フード体とマスク体と透明なシールド体とを備えてなるシールド防塵フードであって、前記フード体を構成すると共に着用者の頭部を覆うよう形成されたフード本体部と、このフード本体部の正面に形成された切欠開口部と、前記フード本体部に設けられたフードシールド連結手段と、前記フード本体部と共に前記フード体を構成すると共にフード本体部の下部に連続形成されたフードスカート部と、前記マスク体のマスク本体部の両側に設けられた耳掛け紐と、前記マスク本体部に設けられたマスクシールド連結手段と、前記シールド体に設けられたシールドフード連結手段と、前記シールド体に設けられたシールドマスク連結手段と、を有してなることを特徴としている。
【発明の効果】
【０００６】
本発明のシールド防塵フードは、正面に形成された切欠開口部がマスク体とシールド体によって覆われるので、抜けた眉毛や睫毛等がシールド防塵フードの外部に落下したり飛散したりするのを防ぐことができるという優れた効果を有する。
また、シールド防塵フードはマスク体のみを簡単に取り外すことができるので、簡単にマスク体のみを交換でき、衛生面で優れると共に環境にやさしいという優れた効果を有する。
【図面の簡単な説明】
【０００７】
【図１】実施例のシールド防塵フードの正面斜め方向からの全体斜視図である。
【図２】実施例のシールド防塵フードの背面斜め方向からの全体斜視図である。
【図３】実施例のシールド防塵フードからマスク体とシールド体を取り外した状態の斜視図である。
【図４】実施例のシールド防塵フードのマスク体とシールド体を分離した状態の正面図である。
【図５】実施例のシールド防塵フードのマスク体とシールド体を連結させた状態の正面図である。
【図６】実施例の他の変形例を示すシールド防塵フードの正面斜め方向からの全体斜視図である。
【図７】実施例の他の変形例を示すシールド防塵フードのマスク体とシールド体を分離した状態の正面図である。
【発明を実施するための形態】
【０００８】
発明を実施するために最良の形態の例として以下のような実施例を示す。
【実施例１】
【０００９】
図１〜図５には本発明に係るシールド防塵フードの一実施例が示されている。
図１に示されるように実施例のシールド防塵フード１０はフード体１２と、マスク体１４と、シールド体１６と、から構成されている。
図３に示されるように、このフード体１２のフード本体部１８は着用者（図示せず）の頭部を完全に覆うよう形成されている。このフード本体部１８の正面には切欠開口部２０が形成されている。
前記フード本体部１８の両側部にはフードシールド連結手段２２，２２（図には左側部のみ示す）が取り付けられている。これらフードシールド連結手段２２，２２はスナップボタンで形成されている。
また、前記フード本体部１８の両側部にはそれぞれ着用者の耳が対応する耳対応開口部２４，２４が形成され、これら耳対応開口部２４にはメッシュ布２６がそれぞれ設けられている。
図２に示されるように、前記フード本体部１８の背面には頭部調節バンド２８が設けられている。この頭部調節バンド２８の先端裏面にはマジックテープ（登録商標）３０が設けられ、フード本体部１８の背面に設けられたマジックテープ（登録商標）３２と係止可能になっている。前記頭部調節バンド２８を使用することにより着用者の頭部の大きさに応じてフード本体部１８をフィットさせることができるようになっている。
図１〜図３に示されるように、前記フード本体部１８の下部にはフード本体部１８と共に前記フード体１２を構成するフードスカート部３４が連続して形成されている。このフードスカート部３４は着用者の肩部、胸上部、背中上部を覆うように形成されている。
図１、図３に示されるようにフードスカート部３４の一端部である右端部３４Ａの上にフードスカート部３４の他端部である左端部３４Ｂがオーバーラップするようになっている。この右端部３４Ａの上部表面にはマジックテープ（登録商標）３６が設けられ、左端部３４Ｂの上部裏面にはマジックテープ（登録商標）３８が設けられている。従って、前記マジックテープ（登録商標）３６とマジックテープ（登録商標）３８を係止すると、前記切欠開口部２０の下部を閉じると共にフードスカート部３４の右端部３４Ａと左端部３４Ｂをオーバーラップ状態にして維持できるようになっている。
なお、前記フード本体部１８、フードスカート部３４はポリエステル、ポリエステルと綿の混紡、綿等の適宜材料によって形成されている。前記フード本体部１８、フードスカート部３４を前記材料の不織布で形成した場合は使い捨て用に適し、前記材料の生地で形成した場合は洗濯して再利用する場合に適する。
図４、図５に示されるように、前記マスク体１４のマスク本体部４０の両側には着用者の耳に掛ける耳掛け紐４２，４２がそれぞれ取り付けられている。また、マスク本体部４０の上部にはマスクシールド連結手段４４，４４が取り付けられている。これらマスクシールド連結手段４４，４４はスナップボタンで形成されている。
前記シールド体１６はシート状の無色透明な弾力性のある合成樹脂材で形成されている。このシールド体１６の上部にはシールドフード連結手段４６，４６が取り付けられている。これらシールドフード連結手段４６，４６はスナップボタンで形成されている。また、前記シールドフード連結手段４６，４６は前記フードシールド連結手段２２，２２と係合可能となっている。
前記シールド体１６の下部にはシールドマスク連結手段４８，４８が取り付けられている。これらシールドマスク連結手段４８，４８はスナップボタンで形成されている。また、シールドマスク連結手段４８，４８は前記マスクシールド連結手段４４，４４と係合可能となっている。
従って、前記マスクシールド連結手段４４，４４と前記シールドマスク連結手段４８，４８を係合すると図５に示されるように前記マスク体１４と前記シールド体１６は連結され、前記マスクシールド連結手段４４，４４と前記シールドマスク連結手段４８，４８を外すと図４に示されるように前記マスク体１４と前記シールド体１６を分離できるようになっている。
また、前記シールドフード連結手段４６，４６と前記フードシールド連結手段２２，２２を係合することにより、図１に示されるようにフード体１２にマスク体１４とシールド体１６が連結される。
これにより、着用者がシールド防塵フード１０を着用した場合にフード本体部１８の開口部２０は図１に示されるようにマスク体１４とシールド体１６によって完全に覆われるようになっている。
【００１０】
次に、実施例のシールド防塵フード１０の作用について説明する。
実施例のシールド防塵フード１０は図１に示すような状態で着用する。
シールド防塵フード１０を着用すると着用者の頭部はフード本体部１８によって完全に覆われる。また、フード体１２に形成された切欠開口部２０に対応する着用者の口周辺部、鼻周辺部分はマスク体１４のマスク本体部４０によって覆われ、着用者の目周辺部はシールド体１６によって覆われる。
この結果、作業者の髪の毛、鼻毛、眉毛、睫毛等が抜けても、髪の毛等はフード体１２によって、鼻毛等はマスク体１４によって、眉毛や睫毛等はシールド体１６によってシールド防塵フード１０の外部に落下したり飛散したりするのを防止することができる。
この結果、シールド防塵フード１０を着用することによりクリーンさが要求される製造工場等のクリーンさが保たれ、クリーンさが厳しく要求される製造工場等においても十分な役割を果たすことができる。
また、前記マスクシールド連結手段４４，４４と前記シールドマスク連結手段４８，４８を外すとシールド体１６からマスク体１４を簡単に取り外すことができる。
このため、マスク体１４が汚れた場合はシールド体１６からマスク体１４を取り外してシールド体１６に別途に用意した新しいマスク体１４を取り付けることができるので衛生的である。
しかも、シールド防塵フード１０全体を交換する場合に比べて経済的であると共に環境にやさしい。
【００１１】
なお、実施例ではマスク体１４のマスク本体４０に耳掛け紐４２，４２を設けて着用者の耳に掛ける場合を示したがマスク体１４の構成はこれに限定されるものではない。
例えば、図６に示されるようにマスク体１４のマスク本体４０の両側部にマジックテープ（登録商標）５０,５０を設け、フード本体部１８の切欠開口部２０の周辺裏面にマジックテープ（登録商標）５２,５２を設けることにより、マスク体１４をフード体１２に取り付けるようにしてもよい。
また、前記シールドフード連結手段４６，４６はシールド体１６に固定する場合だけでなく、図７に示すようにシールド体１６に長孔５６，５６を貫通形成し、これら長孔５６，５６に前記シールドフード連結手段４６，４６を左右方向にスライド自在に取り付けてもよい。前記シールドフード連結手段４６，４６をスライド自在にすることにより着用者の頭部の大きさ等に対応させてシールド体１６を配設できるというメリットがある。
【００１２】
なお、実施例ではフードシールド連結手段２２、マスクシールド連結手段４４、シールドフード連結手段４６、シールドマスク連結手段４８、をそれぞれスナップボタンで形成したが、フードシールド連結手段２２、マスクシールド連結手段４４、シールドフード連結手段４６、シールドマスク連結手段４８は連結手段であればスナップボタンに限定されるものでないことは勿論である。
【産業上の利用可能性】
【００１３】
本発明のシールド防塵フードは、医薬、医療機器、半導体、食品等の製造工場等以外の場所にも使用することができる。
【符号の説明】
【００１４】
１０    シールド防塵フード
１２    フード体
１４    マスク体
１６    シールド体
１８    フード本体部
２０    切欠開口部
２２    フードシールド連結手段
２４    耳対応開口部
２６    メッシュ布
２８    頭部調節バンド
３４    フードスカート部
４４    マスクシールド連結手段
４６    シールドフード連結手段
４８    シールドマスク連結手段
【図１】
2011001659.tif 000003
【図２】
2011001659.tif 000004
【図３】
2011001659.tif 000005
【図４】
2011001659.tif 000006
【図５】
2011001659.tif 000007
【図６】
2011001659.tif 000008
【図７】
2011001659.tif 000009